(57)【特許請求の範囲】
【請求項１】
化粧皿を具えた容器本体と、塗布用具収納部を設けた蓋体とからなる化粧用コンパクトであって、
塗布用具収納部は、頂壁と側壁とからなる収納部と、該収納部中央部に設けられた挟持部とを具えており、
頂壁の中央部には、切欠部が刻設され、該頂壁の残余部分によって一対の突出部が形成されており、
挟持部は、双方の突出部の両側端部を結ぶよう脚部を介して架設された一対の挟持板と、突出部中央に架設された一定長さの支持凸条とから構成されていることを特徴とする化粧用コンパクト容器。
【発明の詳細な説明】
【技術分野】
【０００１】
本発明は、化粧用コンパクト、とくに塗布用具を簡単に取出せるようにした小型のコンパクト容器に関するものである。
【背景技術】
【０００２】
名刺大の大きさの薄板状の容器本体に、化粧料の収納部と、塗布用具の収納部を設けた簡易化粧セットは、従来より知られている（特許文献１参照）。
また、種類、または色の異なる化粧料を、複数の化粧皿に収納した箱状の化粧料収納部を廻転自在に組込んだ容器本体と、化粧用小道具（塗布用具）を収納した蓋体とからなる化粧用コンパクト容器も、従来より知られている（特許文献２参照）。
【特許文献１】実開昭６３−１５３９０７号公報
【特許文献２】実開昭６３−１６６１０７号公報
【発明の開示】
【発明が解決しようとする課題】
【０００３】
しかしながら、塗布用具の収納は、特許文献１記載のものでは、収納部に設けた複数の突片によって塗布用具の把持筒が係合挟持されるようになっており、塗布用具自体は小さいものであるから、収納時には簡単に押込むことができるが、取出しは容易にできなかった。
【０００４】
また、特許文献２記載の塗布用具も、把持部の中央部、または両端が収納部に設けられた挟持部に挟持されるようになっており、取出しにあたっては、把持部の一部を摘んで取出せるが、塗布用具自体は小さいものであるから、把持部を指先で摘むことが容易にできず、塗布用具の取出しは簡単にできなかった。
【０００５】
本発明は、上記の問題を解決することを課題とし、小型の化粧用コンパクト容器において、小さい化粧用塗布用具を、収納部の内面に一定長さの支持凸条を配設するだけで、収納部から簡単に取出せるようにした化粧用コンパクト容器を提供することを目的とする。
【課題を解決するための手段】
【０００６】
本発明は、上記の課題を解決するため、化粧用コンパクト容器として、化粧皿を具えた容器本体と、塗布用具収納部を設けた蓋体とからなる化粧用コンパクトであって、塗布用具収納部は、頂壁と側壁とからなる収納部と、該収納部中央部に設けられた挟持部とを具えており、頂壁の中央部には、切欠部が刻設され、該頂壁の残余部分によって一対の突出部が形成されており、挟持部は、双方の突出部の両側端部を結ぶよう脚部を介して架設された一対の挟持板と、突出部中央に架設された一定長さの支持凸条とから構成されていることを特徴とする構成を採用する。
【発明の効果】
【０００７】
収納部の挟持部に設けられた挟持板と、一定長さの支持凸条とによって塗布用具の把持筒を挟持し、把持筒が支持凸条の端部を支点として廻動できるようになっているので、把持筒の端部を押圧することによって、把持筒中央部を挟持板から取外すことができ、該把持筒中央部を把持できる。
そのことにより、塗布用具が簡単に取出せるようになった。
【発明を実施するための最良の形態】
【０００８】
次に、本発明のリップカラー等に用いた化粧用コンパクト容器の実施形態について、図面を参照して説明する。
図１において、Ａは容器本体、Ｂは容器本体Ａに蝶番を介して取着された蓋体、Ｃは容器本体Ａに取着された化粧料用の皿枠、Ｄは蓋体Ｂに取着された蓋枠、Ｅは塗布用具である。
【０００９】
図１〜３に示すように、容器本体Ａは、細長の底壁１と、該底壁１の周縁から上方に延びる側周壁２とからなっている。
底壁１の両端部には、化粧料用の皿枠Ｃを保持する保持リブ３が立設されており、保持リブ３の中央部には、保持溝４が刻設されている。
【００１０】
側周壁２の一方の側壁２ａの上端縁に沿って、中心に軸孔５を穿孔した一対の蝶番用の軸受６が連設されており、他方の側壁２ｂの上端縁中央部には、円盤状の掛止め具７が連設されている。
掛止め具７の円周面は、側壁２ｂの中心線にほぼ接しており、当該円周面には、係止片８が突設されている。
【００１１】
図１、２、４に示すように、蓋体Ｂは、頂壁１０と、該頂壁１０の周縁から下方に延び、外周形状を容器本体Ａの側周壁２上面外周と同形とした下面１１を有する側周壁１２とからなっており、下面１１より間隔をおいて、側周壁１２の内面には段部１３が設けられている。
【００１２】
側周壁１２の一方の側壁１２ａには、容器本体Ａの一対の軸受６の間に嵌挿され、両端面に軸孔１４を穿孔した蝶番用の連結片１５が連設されており、側壁１２ａの中央内面には、位置決めリブ１６が設けられている。
他方の側壁１２ｂの中央部外周には、容器本体Ａの掛止め具７と係合する係止片１７を設けた掛止め具１８が連設されている。
【００１３】
容器本体Ａの蝶番用軸受６の軸孔５と蓋体Ｂの連結片１５の軸孔１４には、軸ピン１９が嵌挿され、軸受６と連結片１５によって蝶番機構が形成され、蓋体Ｂが容器本体Ａに取着されるようになっている。
【００１４】
図５に示すように、皿枠Ｃは、枠板２０と、該枠板２０に凹部を形成するように設けられた複数の化粧皿２１とからなり、化粧皿２１は、ほぼ楕円形の側周壁２２と底壁２３とを具えており、隣り合う化粧皿２１の側周壁２２は、共通する仕切壁２４となっている。
枠板２０の周縁には、容器本体Ａの上面に載置される段部２５が設けられており、両端の化粧皿２１ａ、２１ｂの外周端部には、枠板２０下面から垂下する位置合わせリブ２６が設けられている。
【００１５】
各化粧皿２１には、色の異なるリップカラー、その他の化粧料が収納され、化粧料の充填後に、皿枠Ｃは、位置合わせリブ２６を容器本体Ａの保持リブ３の保持溝４内に係合させて位置決めし、両面接着テープやメルト接着等を介して容器本体Ａに接着される。
【００１６】
図６に示すように、蓋枠Ｄは、化粧料の混合部３０と、塗布用具収納部３１とを具えた枠板３２によって構成されており、枠板３２の所定の位置には、楕円形の凹部３３が設けられ、化粧皿２１から所望する色の化粧料を選択して混合する混合部３０が形成されている。
【００１７】
塗布用具収納部３１は、枠板３２の所定の位置に立設された、長手方向に延び、対向する側壁３４ａ、３４ｂと、側壁３４ａ、３４ｂに交差し、両端を結ぶ側壁３４ｃ、３４ｄとからなる側周壁３５と頂壁３６とからなる収納部を具えている。
【００１８】
側壁３４ａ、３４ｂの中央部には、切欠部３７が設けられており、頂壁３６の中央部には、切欠部３７に対応する切欠部３８と、中心部に架設された連結部３９と突出部４０ａ、４０ｂを残した切欠部４１ａ、４１ｂが刻設されている。
連結部３９を通じて、頂壁３６の下面には、突出部４０ａ、４０ｂの端縁と、側壁３４ａ、３４ｂのほぼ中間部に達するような長さの支持凸条４２が突設されており、突出部４０ａと突出部４０ｂのそれぞれの両側端部を結ぶように切欠部３８に接して一対の挟持板４３ａ、４３ｂが架設されている。
【００１９】
それぞれの挟持板４３ａ、４３ｂは、突出部４０ａ、４０ｂに接続された脚部４４ａ、４４ｂと、双方の脚部４４ａ、４４ｂを接続する連結板４５とからなり、連結板４５の内側面には、一対の突起４６が突設されている。
【００２０】
前記挟持板４３ａ、４３ｂと、頂壁３６の下面に突設された支持凸条４２によって、塗布用具Ｅの挟持部４７が形成されている。
側壁３４の外周には、位置合わせリブ４８が設けられており、枠板３２上面の周縁部には、全周縁に沿って凸部４９が突設され、該凸部４９には、一定の間隔をおいて超音波リブが突設されている。
【００２１】
蓋枠Ｄの蓋体Ｂへの取着にあたっては、蓋体Ｂの位置決めリブ１６と、蓋枠Ｄの位置合わせリブ４８が係合しないようにし、一定方向に合致され、超音波接着される。
【００２２】
図１、２に示すように、塗布用具Ｅは、断面円形の把持筒５０と、該把持筒５０の一端部に立植されたブラシ毛５１の塗布具とからなっており、把持筒５０は、挟持板４３ａ、４３ｂの突起４６と支持凸条４２によって挟持されるようになっている。
把持筒５０の端部は、収納時には、支持凸条４２の端部より一定長さ突出するように位置している。
【００２３】
次に、本化粧用コンパクト容器の作用効果について説明する。
本コンパクト容器は、口紅、その他の化粧料の化粧用コンパクト容器として使用され、化粧皿２１には、色の異なるリップカラー、その他の化粧料が収納され、蓋体Ｂの塗布用具収納部３１には、塗布用具として、先端にブラシ毛５１を植設した小型の塗布用具Ｅが収納されている。
【００２４】
本コンパクト容器は、口紅を入れた複数の化粧皿２１を長手方向に並べた容器本体Ａに、小さな塗布用具Ｅの収納部と、カラーの混合部３０を設けた蓋体Ｂを蝶番を介して取着しただけのものであるから、極めて小型のものであり、ハンドバック、その他の小物入れに入れても嵩張らず、携帯に便利となっている。
【００２５】
コンパクト容器の使用にあたって、蓋体Ｂを開いて、塗布用具Ｅを取出し、所望する色のリップカラーを混合部３０に入れて混合し、唇に塗布するが、塗布用具Ｅの取出しは、図７に示すように、把持筒５０の端部を押さえると、支持凸条４２の端部を支点として塗布用具Ｅが廻動し、把持筒５０の中央部が挟持板４３の突起４６から抜け出し、抜け出してきた把持筒５０の中央部を掴んで引出すと、塗布用具Ｅは、支持板４３ａ、４３ｂから簡単に取外すことができる。
【００２６】
使用後に収納にあたっては、塗布用具Ｅの中央部をもって、挟持板４３ａ、４３ｂの間に押付け、突起４６を押し開いて把持筒５０が押込まれ、挟持板４３ａ、４３ｂと支持凸条４２との間で挟持される。
【００２７】
前記実施形態では、化粧料として口紅用のリップカラーを用い、ブラシ毛を塗布具として用いているが、化粧料として、リップカラーに限定されず種々の化粧料を用いることができ、塗布具もブラシ毛だけでなく、化粧料に応じてスポンジ等の塗布具を用いてもよい。
【産業上の利用可能性】
【００２８】
塗布用具の頂壁に一定長さの支持凸条を設け、該支持凸条の端部を塗布用具の廻動支点とするだけで、塗布用具を簡単に取出すことができるので、種々の化粧用コンパクト容器に適用できる。
【図面の簡単な説明】
【００２９】
【図１】本発明化粧用コンパクト容器の縦断面図である。
【図２】化粧用コンパクト容器開蓋時の上面図である。
【図３】容器本体の説明図で、（ａ）は縦断面図、（ｂ）は上面図、（ｃ）は図（ａ）のＡ−Ａ線における横断面図である。
【図４】蓋体の説明図で、（ａ）は縦断面図、（ｂ）は底面図、（ｃ）は図（ｂ）のＡ−Ａ線における横断面図である。
【図５】皿枠の説明図で、（ａ）は縦断面図、（ｂ）は上面図、（ｃ）は側面図である。
【図６】蓋枠の説明図で、（ａ）は縦断面図、（ｂ）は底面図、（ｃ）は図（ａ）のＡ−Ａ線における横断面図である。
【図７】塗布用具取出し時の説明図である。
【符号の説明】
【００３０】
Ａ           容器本体
Ｂ           蓋体
Ｃ           皿枠
Ｄ           蓋枠
Ｅ           塗布用具
１           底壁
２           側周壁
１０         頂壁
１２         側周壁
２０         枠板
２１         化粧皿
２２         側周壁
２３         底壁
２４         仕切板
３０         混合部
３１         塗布用具収納部
３２         枠板
３３         凹部
３４ａ，ｂ，ｃ，ｄ   側壁
３５         側周壁
３６         頂壁
３７、３８   切欠部
３９         連結部
４０ａ，ｂ   突出部
４１ａ，ｂ   切欠部
４２         支持凸条
４３ａ，ｂ   挟持板
４４ａ，ｂ   脚部
４５         連結板
４６         突起
４７         挟持部
５０         把持筒
５１         ブラシ毛
【図１】
0004614216.tif 000002
【図２】
0004614216.tif 000003
【図３】
0004614216.tif 000004
【図４】
0004614216.tif 000005
【図５】
0004614216.tif 000006
【図６】
0004614216.tif 000007
【図７】
0004614216.tif 000008